(57)【要約】      （修正有）【課題】両面に入力部を有する入力装置において、誤入力などの不具合の発生の抑制を図る。【解決手段】入力装置は、反転可能な平板状の外形を備えて一方の面に第１の入力部を有し他方の面に第２の入力部を有する入力本体部と、入力本体部の向きを検出する検出部と、検出部による検出結果を用いて第１の入力部および第２の入力部のうち所定の方向側の入力部を識別可能な識別情報を出力する出力部と、を備える。検出部が入力本体部の向きを検出し、出力部が検出部による検出結果を用いて、所定の方向側の入力部を識別可能な識別情報を出力するため、両面に入力部を有する入力装置において、誤入力などの不具合の発生の抑制を図ることができる。【選択図】図１３
2011242907.tif 000002
【特許請求の範囲】
【請求項１】
入力装置であって、
反転可能な平板状の外形を備え、一方の面に第１の入力部を有し、他方の面に前記第１の入力部と異なる第２の入力部を有する入力本体部と、
前記入力本体部の向きを検出するための検出部と、
前記検出部による検出結果を用いて、前記第１の入力部および前記第２の入力部のうち、所定の方向側の入力部を識別可能な識別情報を出力する出力部と、を備える入力装置。
【請求項２】
請求項１に記載の入力装置はさらに、
前記入力本体部を回動可能に支持する枠部を備え、
前記検出部は、
前記枠部上に配置され、前記第１の入力部が前記所定の方向側に位置するときに前記入力本体部との接触を検出する第１のセンサと、
前記枠部上に配置され、前記第２の入力部が前記所定の方向側に位置するときに前記入力本体部との接触を検出する第２のセンサと、を備える入力装置。
【請求項３】
請求項２に記載の入力装置において、
前記入力本体部は、矩形形状を有し、前記入力本体部が回動するときの軸方向に沿った端辺の一方には第１の係止部が形成され、他方には第２の係止部が形成され、
前記枠部は、前記第１の入力部が前記所定の方向側に位置するときに前記第１の係止部と接触する第１の面と、前記第２の入力部が前記所定の方向側に位置するときに第２の係止部と接触する第２の面とを有する被係止部を備え、
前記検出部は、前記第１の面に前記第１のセンサが配置され、前記第２の面に前記第２のセンサが配置されている入力装置。
【請求項４】
請求項１に記載の入力装置において、
前記検出部は、
前記第１の入力部が前記所定の方向側に位置するときに前記入力本体部を支持する支持面との接触を検出する第１のセンサと、
前記第２の入力部が前記所定の方向側に位置するときに前記支持面との接触を検出する第２のセンサと、を備える入力装置。
【請求項５】
請求項４に記載の入力装置において、
前記第１のセンサは、前記入力本体部の前記第２の入力部を有する面に配置され、
前記第２のセンサは、前記入力本体部の前記第１の入力部を有する面に配置されている入力装置。
【請求項６】
コンピュータ端末装置であって、
請求項１ないし請求項５のいずれかに記載の入力装置と、
前記入力装置から前記識別情報を取得し、前記識別情報に基づいて、前記所定の方向側の入力部により入力された入力情報に応じた所定の処理を処理部に実行させる制御部と、を備えるコンピュータ端末装置。
【請求項７】
請求項６に記載のコンピュータ端末装置であって、
前記制御部は、
前記識別情報に前記第１のセンサおよび前記第２のセンサのいずれも接触を検出した情報が含まれている場合には、情報出力部に異常を表す情報を出力し、
前記識別情報に前記第１のセンサおよび前記第２のセンサのいずれも接触を検出していない情報が含まれている場合には、前記入力情報に基づく処理をおこなわず、
前記識別情報に前記第１のセンサまたは前記第２のセンサのいずれか一方のセンサのみが接触を検出した情報が含まれている場合には、前記所定の方向側の入力部により入力された入力情報に応じた所定の処理をおこなうコンピュータ端末装置。
【請求項８】
請求項７に記載のコンピュータ端末装置であって、
前記制御部は、
前記識別情報に前記第１のセンサのみが接触を検出した情報が含まれている場合には、前記第１の入力部により入力された入力情報に応じた所定の処理をおこない、
前記識別情報に前記第２のセンサのみが接触を検出した情報が含まれている場合には、前記第２の入力部により入力された入力情報に応じた所定の処理をおこなうコンピュータ端末装置。
【発明の詳細な説明】
【技術分野】
【０００１】
本発明は、本発明は、入力装置、および、コンピュータ端末装置に関する。
【背景技術】
【０００２】
従来から、ＡＴＭ（Automatic Teller Machine）やコンピュータ等の端末に情報を入力するためのキーボードやタッチパネル等の入力装置において、操作性等の観点から、種類の異なる入力部を両面に構成する技術が知られている（特許文献１）。
【先行技術文献】
【特許文献】
【０００３】
【特許文献１】特開２００９−２５９２４３号
【発明の概要】
【発明が解決しようとする課題】
【０００４】
しかし、両面に入力部が構成された入力装置は、一方の入力部を使用の際に、使用していない他方の入力部が設置面等に接触することにより、誤入力などの不具合が発生するおそれがあった。
【０００５】
本発明は、上記した課題の少なくとも一部を解決するためになされた発明であり、両面に入力部を有する入力装置において、誤入力などの不具合の発生の抑制を図ることを目的とする。
【課題を解決するための手段】
【０００６】
上記課題の少なくとも一部を解決するために本願発明は以下の態様を採る。
【０００７】
第１の態様は、入力装置を提供する。第１の態様に係る入力装置は、反転可能な平板状の外形を備え、一方の面に第１の入力部を有し、他方の面に前記第１の入力部と異なる第２の入力部を有する入力本体部と、前記入力本体部の向きを検出するための検出部と、前記検出部による検出結果を用いて、前記第１の入力部および前記第２の入力部のうち、所定の方向側の入力部を識別可能な識別情報を出力する出力部と、を備える。
【０００８】
第１の態様に係る入力装置によれば、検出部が入力本体部の向きを検出し、出力部が検出部による検出結果を用いて、所定の方向側の入力部を識別可能な識別情報を出力するため、両面に入力部を有する入力装置において、誤入力などの不具合の発生の抑制を図ることができる。
【０００９】
第１の態様に係る入力装置はさらに、前記入力本体部を回動可能に支持する枠部を備え、前記検出部は、前記枠部上に配置され、前記第１の入力部が前記所定の方向側に位置するときに前記入力本体部との接触を検出する第１のセンサと、前記枠部上に配置され、前記第２の入力部が前記所定の方向側に位置するときに前記入力本体部との接触を検出する第２のセンサと、を備えていてもよい。この場合、枠部上に配置された第１のセンサおよび第２のセンサにより所定の方向側の入力部を識別することができるため、両面に入力部を有する入力装置において、誤入力などの不具合の発生の抑制を図ることができる。
【００１０】
第１の態様に係る入力装置において、前記入力本体部は、矩形形状を有し、前記入力本体部が回動するときの軸方向に沿った端辺の一方には第１の係止部が形成され、他方には第２の係止部が形成され、前記枠部は、前記第１の入力部が前記所定の方向側に位置するときに前記第１の係止部と接触する第１の面と、前記第２の入力部が前記所定の方向側に位置するときに第２の係止部と接触する第２の面とを有する被係止部を備え、前記検出部は、前記第１の面に前記第１のセンサが配置され、前記第２の面に前記第２のセンサが配置されていてもよい。この場合、第１の入力部もしくは第２の入力部のいずれか一方の入力部が所定の方向となると、入力本体部の係止部が枠部の被係止部と接触するため、両面に入力部を有する入力装置において、誤入力などの不具合の発生の抑制を図ることができる。
【００１１】
第１の態様に係る入力装置において、前記検出部は、前記第１の入力部が前記所定の方向側に位置するときに前記入力本体部を支持する支持面との接触を検出する第１のセンサと、前記第２の入力部が前記所定の方向側に位置するときに前記支持面との接触を検出する第２のセンサと、を備えていてもよい。この場合、第１のセンサおよび第２のセンサが支持面と接触することにより所定の方向側の入力部を識別することができるため、両面に入力部を有する入力装置において、誤入力などの不具合の発生の抑制を図ることができる。
【００１２】
第１の態様に係る入力装置において、前記第１のセンサは、前記入力本体部の前記第２の入力部を有する面に配置され、前記第２のセンサは、前記入力本体部の前記第１の入力部を有する面に配置されていてもよい。この場合、入力本体部上に配置された第１のセンサおよび第２のセンサにより所定の方向側の入力部を識別することができるため、両面に入力部を有する入力装置において、誤入力などの不具合の発生の抑制を図ることができる。
【００１３】
第２の態様は、コンピュータ端末装置を提供する。第２の態様に係るコンピュータ端末装置は、前記入力装置と、前記入力装置から前記識別情報を取得し、前記識別情報に基づいて、前記所定の方向側の入力部により入力された入力情報に応じた所定の処理を処理部に実行させる制御部と、を備える。
【００１４】
第２の態様に係るコンピュータ端末装置によれば、識別情報に基づいて、所定の方向側の入力部により入力された入力情報に応じた所定の処理を処理部に実行させるため、両面に入力部を有する入力装置を備えるコンピュータ端末装置において、誤入力による不具合の発生の抑制を図ることができる。
【００１５】
第２の態様に係るコンピュータ端末装置において、前記制御部は、前記識別情報に前記第１のセンサおよび前記第２のセンサのいずれも接触を検出した情報が含まれている場合には、情報出力部に異常を表す情報を出力し、前記識別情報に前記第１のセンサおよび前記第２のセンサのいずれも接触を検出していない情報が含まれている場合には、前記入力情報に基づく処理をおこなわず、前記識別情報に前記第１のセンサまたは前記第２のセンサのいずれか一方のセンサのみが接触を検出した情報が含まれている場合には、前記所定の方向側の入力部により入力された入力情報に応じた所定の処理をおこなってもよい。この場合、識別情報に第１のセンサまたは第２のセンサのいずれか一方のセンサのみが接触を検出した情報が含まれているときに、入力情報に応じた所定の処理をおこなうため、両面に入力部を有する入力装置を備えるコンピュータ端末装置において、誤入力などの不具合の発生の抑制を図ることができる。
【００１６】
第２の態様に係るコンピュータ端末装置において、前記制御部は、前記識別情報に前記第１のセンサのみが接触を検出した情報が含まれている場合には、前記第１の入力部により入力された入力情報に応じた所定の処理をおこない、前記識別情報に前記第２のセンサのみが接触を検出した情報が含まれている場合には、前記第２の入力部により入力された入力情報に応じた所定の処理をおこなってもよい。この場合、第１のセンサが接触を検出ときに、第１の入力部により入力された入力情報に応じた所定の処理をおこない、第２のセンサが接触を検出したときに、第２の入力部により入力された入力情報に応じた所定の処理をおこなうため、両面に入力部を有する入力装置を備えるコンピュータ端末装置において、誤入力などの不具合の発生の抑制を図ることができる。
【００１７】
なお、本発明は、上記以外の種々の形態で実現することが可能であり、例えば、入力装置を備える現金自動取扱装置およびコンピュータ、入力装置を備えるコンピュータ端末装置および入力装置の制御方法、その制御方法を実現するためのコンピュータープログラム、および、そのコンピュータープログラムを記録した記憶媒体等の形態で実現することができる。また、本発明に係る入力装置およびコンピュータ端末装置は、適宜、他の部材と組み合わせて適用することができる。
【図面の簡単な説明】
【００１８】
【図１】本発明の一実施例としてのコンピュータ端末装置の外観構成を示す説明図である。
【図２】入力機構部３００の概略構成を説明するための説明図である。
【図３】枠部３２０に形成された被係止部３２１の概略構成を説明するための説明図である。
【図４】入力本体部３１０の回動状態を説明するための説明図である。
【図５】図２に示す入力本体部３１０を反転させた状態を例示した説明図である。
【図６】被係止機構部３３０を例示した説明図である。
【図７】解除ボタン３３２を押圧した状態を示した説明図である。
【図８】コンピュータ端末装置１０の内部構成の概略を示すブロック図である。
【図９】入力情報判別処理の流れを示すフローチャートである。
【図１０】回転台部３１１の概略構成を例示した説明図である。
【図１１】第１の入力部３１２および第２の入力部３１３の概略構成を例示した説明図である。
【図１２】回転台部３１１に第１の入力部３１２および第２の入力部３１３を固定した状態を例示した説明図である。
【図１３】第２実施例に係るコンピュータ端末装置１０の内部構成の概略を示すブロック図である。
【図１４】第３実施例に係る入力装置の外観構成を示す説明図である。
【図１５】第３実施例に係る入力装置の脚部を立てた状態を例示した説明図である。
【図１６】第４実施例に係る入力装置の外観構成を示す説明図である。
【図１７】第５実施例に係る入力装置の外観構成を示す説明図である。
【図１８】第５実施例に係る入力装置を側面側から見た状態を例示した説明図である。
【発明を実施するための形態】
【００１９】
以下、本発明の実施の形態について、図面を参照しつつ、実施例に基づいて説明する。
【００２０】
Ａ．第１実施例
Ａ１．全体構成：
図１は、本発明の一実施例としてのコンピュータ端末装置の外観構成を示す説明図である。コンピュータ端末装置１０（以降、「窓口端末」とも呼ぶ。）は、銀行などの金融機関や、役所などの窓口の係員が顧客からの口座開設、住民票の発行などの各種申込み業務をおこなう際に使用される端末である。コンピュータ端末装置１０は、例えば、ＡＴＭ（Automatic Teller Machine）などのように顧客が直接操作する端末であってもよいし、銀行や役所以外の機関、例えば、病院や駅などにおいて使用される端末であってもよい。
【００２１】
コンピュータ端末装置１０は、表示部１００と、印字部２００と、入力機構部３００と、カードユニット４００と、を備えている。表示部１００は、入力機構部３００による入力内容やコンピュータ端末装置１０による特定の処理の結果などを表示するためのモニタであり、表示部支持アーム１０１によってコンピュータ端末装置１０の本体部１１に固定されている。印字部２００は、本体部１１の外面に設置された挿入部２０１を含み、挿入部２０１に挿入された顧客の通帳に残高等の印字をおこなう。
【００２２】
入力機構部３００は、係員からの操作を受け付ける入力本体部３１０と、入力本体部３１０を回転可能に支持する枠状の枠部３２０と、入力本体部３１０の回転を規制・解除するための被係止機構部３３０とを備えている。枠部３２０は、本体部１１の一部に形成され、本体部１１から水平に張り出すようにして入力本体部３１０を支持している。被係止機構部３３０は、入力本体部３１０の回転規制を解除するための解除ボタン３３２を備えている。解除ボタン３３２は、枠部３２０の外面に配置されている。入力機構部３００は、入力本体部３１０の操作により受け付けた入力情報を、後述する制御部に出力する。入力本体部３１０、枠部３２０、および被係止機構部３３０の具体的な構成については図２を用いて後述する。
【００２３】
カードユニット４００は、本体部１１の外面に設置されたカードスロット４０１を含み、カードスロット４０１に挿入された顧客のカードから顧客情報の読み取りなどの処理をおこなう。コンピュータ端末装置１０は、顧客に暗証番号等を入力してもらうためのＰＩＮＰＡＤ４５０が接続されている。
【００２４】
Ａ２．入力機構部の詳細構成：
図２は、入力機構部３００の概略構成を説明するための説明図である。図２は、入力機構部３００を横方向から見たときの概略構成を示している。図２に示すように、入力本体部３１０は、矩形の平板状の外形を備え、両面にそれぞれ入力部が構成されたデュアルキーボードである。入力本体部３１０は、短辺方向の端辺部にそれぞれ回転ヒンジ３４０が形成され、枠部３２０に回転可能に固定されている。本実施例では、入力本体部３１０は、それぞれ平板状の回転台部３１１、第１の入力部３１２、および、第２の入力部３１３を備え、回転ヒンジ３４０を備える回転台部３１１の両主面にそれぞれ第１の入力部３１２および第２の入力部３１３が固定された構成を備えている。回転台部３１１に第１の入力部３１２および第２の入力部３１３を固定する具体的な方法については後述する。
【００２５】
入力本体部３１０は、長辺方向の端辺部にそれぞれ第１の係止部３１２ａと第２の係止部３１２ｂを備えている。第１の係止部３１２ａおよび第２の係止部３１２ｂは、枠部３２０に形成された被係止部３２１、および、ラッチ３３１とそれぞれ接触することにより、回転ヒンジ３４０を回転軸とした入力本体部３１０の回動が規制される。図２では、入力本体部３１０において第１の入力部３１２が上側となり、第１の係止部３１２ａと被係止部３２１とが接触し、第２の係止部３１２ｂとラッチ３３１とが接触した状態が示されている。本実施例では、入力本体部３１０の短辺方向において、第１の入力部３１２の幅が回転台部３１１の幅より大きく、第１の入力部３１２と回転台部３１１との幅の差によって、第１の入力部３１２の両端部に第１の係止部３１２ａおよび第２の係止部３１２ｂが形成されている。
【００２６】
図３は、枠部３２０に形成された被係止部３２１の概略構成を説明するための説明図である。被係止部３２１は、枠部３２０の開口面とそれぞれ平行な上面３２１ａおよび底面３２１ｂを備えている。上面３２１ａおよび底面３２１ｂには、第１のセンサ３２２および第２のセンサ３２３がそれぞれ配置されている。第１のセンサ３２２は、図２に示すように、第１の入力部３１２が上側のときに、第１の係止部３１２ａとの接触を検出する。また、第２のセンサ３２３は、後述する図５に示すように、第２の入力部３１３が上側のときに、第２の係止部３１２ｂとの接触を検出する。第１のセンサ３２２および第２のセンサ３２３は第１の係止部３１２ａもしくは第２の係止部３１２ｂとの接触を検出すると後述する制御部に所定の信号を出力する。
【００２７】
第１のセンサ３２２および第２のセンサ３２３は、必ずしも対象物との接触を検出するセンサである必要はなく、対象物が近接したことを検出するセンサであってもよい。すなわち、本発明に用いられるセンサは、赤外線などの光を対象物に照射し、反射光の受光強度により対象物の近接を検出するいわゆる反射型のセンサであってもよいし、対象物から受ける押圧力により接触を検出するセンサであってもよい。
【００２８】
ラッチ３３１は、後述するように被係止機構部３３０の一部であり、解除ボタン３３２と物理的に接続されている。そのため、ラッチ３３１は、解除ボタン３３２の押圧により、図２の矢印Ｂに示す方向に移動する。これにより、ラッチ３３１と第２の係止部３１２ｂとの接触は解除され、矢印Ａに示す力を入力本体部３１０に加えることにより、入力本体部３１０は回転ヒンジ３４０を軸として逆時計回りに回動する。なお、被係止部３２１は、ラッチ３３１と異なり移動しないため、図２において、入力本体部３１０の時計回りへの回動は規制されている。
【００２９】
図４は、入力本体部３１０の回動状態を説明するための説明図である。図４に示すように、入力本体部３１０は、第１の係止部３１２ａおよび第２の係止部３１２ｂが形成された長辺側の端辺の端辺方向（延伸方向）と、回転ヒンジ３４０を回転軸とした軸方向とが平行な状態で回動する。図４に示す入力本体部３１０は、第１の係止部３１２ａと被係止部３２１の上面３２１ａとが接触せず、また、第２の係止部３１２ｂと被係止部３２１の底面３２１ｂとが接触していないため、第１のセンサ３２２および第２のセンサ３２３のいずれも入力本体部３１０との接触を検出しない。
【００３０】
図５は、図２に示す入力本体部３１０を反転させた状態を例示した説明図である。図５に示すように、入力本体部３１０を図２に示す状態から１８０度反転させた体勢において、ラッチ３３１を矢印Ｄに示す方向に移動させると、入力本体部３１０は第２の入力部３１３が上側となった状態で回転が規制される。すなわち、入力本体部３１０に矢印Ｅに示す応力が与えられてもラッチ３３１により回転が規制される。このとき、入力本体部３１０の第１の係止部３１２ａとラッチ３３１とは接触し、第２の係止部３１２ｂと被係止部３２１の底面３２１ｂとは接触している。そのため、底面３２１ｂに配置された第２のセンサ３２３は、第２の係止部３１２ｂとの接触を検出する。
【００３１】
なお、被係止部３２１は、ラッチ３３１と異なり移動しないため、図５において、ラッチ３３１を移動させても、入力本体部３１０は、時計回りのみ回転可能であり、逆時計回りへの回動は規制される。図２および図５から、入力本体部３１０は、図２の状態から逆時計回りに１８０度、図５の状態から時計回りに１８０度の範囲のみにおいて回動可能に構成されている。これにより、入力本体部３１０と後述する制御部５００とを接続する図示しない接続線が一方向に捻れることを抑制することができる。
【００３２】
被係止機構部３３０の具体的構成について説明する。図６は、被係止機構部３３０を例示した説明図である。被係止機構部３３０は、ラッチ３３１と、解除ボタン３３２と、可動軸３３３と、バネ３３４と、プレート３３５と、を備えている。可動軸３３３は、一方の端部に解除ボタン３３２が形成され、他方の端部がプレート３３５と回動可能に接続されている。可動軸３３３には、解除ボタン３３２の押圧に対する反力が生じるようにバネ３３４が組み込まれている。プレート３３５は、一方の端部が可動軸３３３と接続され、他方の端部がラッチ３３１と回動可能に接続されている。また、プレート３３５は、プレートの中心部付近において、回転軸部により枠部３２０に回動可能に固定されている。そのため、プレート３３５は、可動軸３３３から応力を受けると、テコの原理により回転軸部を起点としてラッチ３３１に応力を伝達する。
【００３３】
図７は、解除ボタン３３２を押圧した状態を示した説明図である。図７の矢印Ｆに示すように、解除ボタン３３２がバネ３３４による反力に抗して押圧されると、可動軸３３３がプレート３３５の一方の端部を解除ボタン３３２の押圧方向と同じ方向に押す。プレート３３５は、可動軸３３３と接続された一方の端部が解除ボタン３３２の押圧方向と同じ方向に押されると、ラッチ３３１と接続されている他方の端部を解除ボタン３３２の押圧方向と反対の方向に引っ張る。ラッチ３３１は、プレート３３５により解除ボタン３３２の押圧方向と反対の方向に引っ張られることにより、入力本体部３１０から遠ざかる方向（矢印Ｇ）に移動する。これにより、ラッチ３３１と入力本体部３１０との接触は解除され、入力本体部３１０は回動可能な状態となる。
【００３４】
Ａ３．内部構成：
続いて、コンピュータ端末装置１０の内部構成について説明する。図８は、コンピュータ端末装置１０の内部構成の概略を示すブロック図である。コンピュータ端末装置１０は、表示部１００と、印字部２００と、入力機構部３００と、カードユニット４００と、ＰＩＮＰＡＤ４５０のほか、制御部５００を備えている。制御部５００は、表示部１００と、印字部２００と、入力機構部３００と、カードユニット４００と、ＰＩＮＰＡＤ４５０などのコンピュータ端末装置１０の各機能部と接続されている。制御部５００は、第１の入力部３１２および第２の入力部３１３から出力された入力情報と、第１のセンサ３２２および第２のセンサ３２３からの出力された信号を受信する。ここで、入力情報とは、利用者が入力部を操作することにより入力された情報や、入力された情報を一部に含む情報をいう。
【００３５】
制御部５００は、ＲＯＭやＲＡＭからなる図示しないメモリと、図示しないＣＰＵとを含み、ＣＰＵがメモリに記憶されているプログラムを実行することにより、コンピュータ端末装置１０の全体の動作を制御するとともに、種々の処理をおこなう。本実施例における制御部５００は、ＣＰＵがメモリに記憶されているプログラムを実行することにより入力情報判別処理をおこなう。入力情報判別処理とは、入力本体部３１０の第１の入力部３１２および第２の入力部３１３のうち、上側となっている入力部から出力された入力情報を判別するための処理である。
【００３６】
Ａ４．入力情報判別処理：
図９は、入力情報判別処理の流れを示すフローチャートである。制御部５００は、第１のセンサ３２２から信号が出力されているか否かを判別する（ステップＳ１０１）。第１のセンサ３２２から信号が出力されていない場合（ステップＳ１０１：ＮＯ）、制御部５００は、第２のセンサ３２３から信号が出力されているか否かを判別する（ステップＳ１０２）。第２のセンサ３２３からも信号が出力されていない場合には（ステップＳ１０２：ＮＯ）、図４に示すように、入力本体部３１０が回転中である可能性があるため、制御部５００は、第１の入力部３１２および第２の入力部３１３のいずれからの入力も不可とする（ステップＳ１０３）。本実施例では、制御部５００は、第１の入力部３１２および第２の入力部３１３からの入力が不可か許可かを表すフラグを備え、センサからの信号に基づいてフラグを切り替えることにより、第１の入力部３１２および第２の入力部３１３のそれぞれについて入力が不可か許可かを判別する。
【００３７】
ここで、入力を不可とするとは、不可とされた入力部から入力された入力情報に基づいて、制御部５００が特定の処理を処理部に実行させないことをいう。すなわち、制御部５００は、第１の入力部３１２および第２の入力部３１３のいずれの入力部からも入力情報を取得するが、フラグを参照し、入力が不可となっている入力部から入力された入力情報は処理部による特定の処理に用いず、入力が許可となっている入力部から入力された入力情報のみを用いて処理部に特定の処理を実行させる。ここで、特定の処理とは、コンピュータ端末装置１０が実行可能な機能であれば特に限定されず、例えば、印字処理や、発券処理、取引処理等が含まれる。また、特定の処理には、例えば、表示部１００に文字等を表示させる処理や、制御部５００による取引処理以外の処理、コンピュータ端末装置１０の電源の入切りなども含まれる。また、処理部とは、コンピュータ端末装置１０が実行可能な機能を実現する機能部であれば特に限定されず、表示部１００や、印字部２００や、カードユニット４００などのほか、制御部５００も含まれる。なお、制御部５００は、不可とされた入力部からの入力情報を取得せず、許可とされた入力部からの入力情報のみを取得し、取得した入力情報に基づいて処理部に特定の処理を実行させる構成としてもよい。
【００３８】
一方、第２のセンサ３２３から信号が出力されている場合には（ステップＳ１０２：ＹＥＳ）、図５に示すように、第２の入力部３１３が上側の状態となっているため、第１の入力部３１２からの入力を不可とし、第２の入力部３１３からの入力を許可する（ステップＳ１０４）。
【００３９】
ステップＳ１０１において、第１のセンサ３２２から信号が出力されている場合においても（ステップＳ１０１：ＹＥＳ）、制御部５００は、第２のセンサ３２３から信号が出力されているか否かを判別する（ステップＳ１０５）。第２のセンサ３２３から信号が出力されていない場合には（ステップＳ１０５：ＮＯ）、図２に示すように、第１の入力部３１２が上側の状態となっているため、第１の入力部３１２からの入力を許可とし、第２の入力部３１３からの入力を不可とする（ステップＳ１０６）。
【００４０】
一方、第２のセンサ３２３から信号が出力されている場合には（ステップＳ１０５：ＹＥＳ）、第１のセンサ３２２および第２のセンサ３２３のいずれかにゴミ等が付着して誤検出しているか、いずれかのセンサに異常が生じている可能性があるため、第１の入力部３１２および第２の入力部３１３のいずれからの入力も不可とする（ステップＳ１０７）。また、制御部５００は、表示部１００に入力機構部３００に異常が生じている旨を表示する。これにより、係員に異常を通知することができるため、復旧のための処理を受けることができる。なお、本実施例では、制御部５００は、異常の発生を表示部１００に表示する構成として説明したが、異常を外部に出力する構成であれば、表示部に限定されず、例えば、図示しないスピーカにより異常を報知する構成や、異常が生じた旨を紙面などに印字する構成、コンピュータ端末装置１０に接続されているホストコンピュータなどの外部装置に異常を通知する構成などであってもよい。上記が入力情報判別処理についての説明である。
【００４１】
制御部５００は、上記の入力情報判別処理のルーチンを数十から数百ｍｓオーダーでのポーリングにより常時、入力本体部３１０の向きを監視する。上記の入力情報判別処理の説明からも分かるように、制御部５００は、第１のセンサ３２２および第２のセンサ３２３から出力される信号の組み合わせにより、第１の入力部３１２もしくは第２の入力部３１３のうち、上側となっている入力部を識別する。このことから、第１のセンサ３２２および第２のセンサ３２３から出力される信号は、入力本体部３１０の体勢を識別するための識別情報といえる。
【００４２】
Ａ５．入力本体部の詳細構成：
続いて、入力本体部３１０において、回転台部３１１に第１の入力部３１２および第２の入力部３１３を固定する方法について説明する。図１０は、回転台部３１１の概略構成を例示した説明図である。図１１は、第１の入力部３１２および第２の入力部３１３の概略構成を例示した説明図である。図１２は、回転台部３１１に第１の入力部３１２および第２の入力部３１３を固定した状態を例示した説明図である。
【００４３】
図１０に示すように、回転台部３１１は、一対の主面３１１ｆと、一対の主面の間に形成された４つの端面３１１ｅを備えている。主面３１１ｆの一部には凹部３１１ｃが形成されている。回転ヒンジ３４０は、中空の円筒形状を有し、凹部３１１ｃと端面３１１ｅとを連通している。制御部５００と接続されているケーブル３１５ｗが回転ヒンジ３４０の中空部を介して凹部３１１ｃの内側に敷設されている。ケーブル３１５ｗの端部には、コネクタ３１５ｃが形成されている。
【００４４】
図１１は、第１の入力部３１２および第２の入力部３１３の回転台部３１１と接触する接触面３１６が示されている。接触面３１６の一部には切り欠き部３１７が形成されている。第１の入力部３１２および第２の入力部３１３から出力される信号を搬送するためのケーブル３１８ｗが切り欠き部３１７から延伸し、端部にコネクタ３１８ｃが形成されている。接触面３１６の四隅には、ネジを通すための開口部を有する板状の固定金具３１９が取り付けられている。
【００４５】
入力本体部３１０は、第１の入力部３１２および第２の入力部３１３から延伸するケーブル３１８ｗのコネクタ３１８ｃと、制御部５００と接続されているケーブル３１５ｗのコネクタ３１５ｃとを接続した状態で、第１の入力部３１２および第２の入力部３１３の接触面３１６を回転台部３１１の主面３１１ｆにそれぞれ接触させることにより構成することができる。このとき、図１２に示すように、固定金具３１９は、回転台部３１１の端面３１１ｅと当接するため、固定金具３１９の開口部を通してネジ３１９ｓによりネジ止めすることにより、回転台部３１１に第１の入力部３１２および第２の入力部３１３を固定することができる。
【００４６】
なお、本実施例における入力機構部３００は、特許請求の範囲における「入力装置」に該当する。本実施例における第１のセンサ３２２および第２のセンサ３２３は、特許請求の範囲における「検出部」および「出力部」に該当する。本実施例において第１のセンサ３２２および第２のセンサ３２３から出力される信号は、特許請求の範囲における「識別情報」に該当する。本実施例における表示部１００は、特許請求の範囲における「情報出力部」に該当する。本実施例における表示部１００、印字部２００、カードユニット４００、および、制御部５００の少なくとも一つは、特許請求の範囲における「処理部」に該当する。
【００４７】
以上説明した、第１の実施例に係るコンピュータ端末装置１０によれば、第１のセンサ３２２および第２のセンサ３２３から出力される信号に基づいて、上側の入力部により入力された入力情報に応じた所定の処理を処理部に実行させるため、両面に入力部を有する入力装置を備えるコンピュータ端末装置において、誤入力による不具合の発生の抑制を図ることができる。具体的には、両面に入力部が形成されている入力本体部３１０において、下側となる入力部から入力された入力情報は、係員などの利用者が意図した入力ではなく、下側の入力部に何かが接触等したときに入力された情報である可能性が高い。そのため、第１のセンサ３２２および第２のセンサ３２３から出力される信号により、入力本体部３１０において上側となる入力部を識別し、上側となる入力部から入力された入力情報のみに応じて処理部に処理を実行させることで、誤入力による不具合の発生を抑制することができる。
【００４８】
第１の実施例に係る入力機構部３００によれば、第１のセンサ３２２および第２のセンサ３２３から出力される信号により、入力本体部３１０において上側の入力部を識別することができるため、両面に入力部を有する入力装置において、誤入力などの不具合の発生の抑制を図ることができる。具体的には、第１のセンサ３２２は、図２に示すように、第１の入力部３１２が上側のときに、第１の係止部３１２ａとの接触を検出する。また、第２のセンサ３２３は、図５に示すように、第２の入力部３１３が上側のときに、第２の係止部３１２ｂとの接触を検出する。そのため、第１のセンサ３２２および第２のセンサ３２３から出力された信号により、入力本体部３１０において上側の入力部を識別することができる。これにより、入力機構部３００から出力される入力情報について、利用者により意図して入力された入力情報か、意図せず入力された入力情報化を判別することができるため、上側の入力部から入力された入力情報は、利用者により意図された入力である可能性が高いため、入力機構部３００と一部に含むコンピュータ端末装置１０において誤入力に基づく誤処理の発生を抑制することができる。
【００４９】
第１の実施例に係る入力機構部３００によれば、第１のセンサ３２２および第２のセンサ３２３はそれぞれ枠部３２０に配置されているため、両面に入力部を有する入力装置において、誤入力などの不具合の発生の抑制を図ることができる。具体的には、図３に示すように、第１のセンサ３２２および第２のセンサ３２３は、被係止部３２１の上面３２１ａおよび底面３２１ｂにそれぞれ配置されている。そのため、図２に示すように、第１の入力部３１２が上側のときに、第１のセンサ３２２は第１の係止部３１２ａとの接触を検出することができ、図５に示すように、第２の入力部３１３が上側のときに、第２のセンサ３２３は第２の係止部３１２ｂとの接触を検出することができる。よって、第１のセンサ３２２および第２のセンサ３２３から出力された信号により、入力本体部３１０において上側の入力部を識別することができ、入力機構部３００と一部に含むコンピュータ端末装置１０において誤入力に基づく誤処理の発生を抑制することができる。
【００５０】
Ｂ．第２実施例
第１実施例では、入力機構部３００は、入力本体部３１０の向きを識別するための識別情報として、第１のセンサ３２２および第２のセンサ３２３の信号を制御部５００に出力する構成について説明したが、第２実施例では、制御部５００に対して第１のセンサ３２２および第２のセンサ３２３の信号を出力せず、入力部からの入力情報を入力本体部３１０の向きを識別するための識別情報とする構成について説明する。コンピュータ端末装置１０の内部構成以外の構成については、第１実施例と同様であるため説明を省略する。第２実施例において第１実施例と同様の符号を付した機能部は、第１実施例と同様の機能を備えている。
【００５１】
図１３は、第２実施例に係るコンピュータ端末装置１０の内部構成の概略を示すブロック図である。図８に示した第１実施例におけるコンピュータ端末装置１０の内部構成と比較して、第２実施例に係るコンピュータ端末装置１０の内部構成は、入力機構部３００に出力部３５０を備えている点が異なる。
【００５２】
出力部３５０は、第１の入力部３１２、第２の入力部３１３、第１のセンサ３２２、第２のセンサ３２３、および、制御部５００と接続されている。出力部３５０は、第１の入力部３１２および第１の入力部３１２から入力情報を取得し、第１のセンサ３２２および第２のセンサ３２３から出力された信号を受信する。また、出力部３５０は、第１の入力部３１２もしくは第１の入力部３１２から取得した入力情報を制御部５００に出力する。
【００５３】
出力部３５０は、図９に示す入力情報判別処理と同様の処理をおこなう。具体的には、出力部３５０は、第１のセンサ３２２および第２のセンサ３２３から信号が出力されているか否かを判別し（図９、ステップＳ１０１、１０２、１０５）、第１のセンサ３２２および第２のセンサ３２３のいずれからも信号が出力されていない場合には（ステップＳ１０２：ＮＯ）、第１の入力部３１２および第２の入力部３１３から出力されたいずれの入力情報についても制御部５００に出力しない（ステップＳ１０３）。
【００５４】
出力部３５０は、第１のセンサ３２２から信号が出力されず、第２のセンサ３２３から信号が出力されている場合には（ステップＳ１０２：ＹＥＳ）、第１の入力部３１２から出力された入力情報を制御部５００に出力し、第２の入力部３１３から出力された入力情報は制御部５００に出力しない（ステップＳ１０４）。
【００５５】
一方、出力部３５０は、第１のセンサ３２２から信号が出力され、第２のセンサ３２３から信号が出力されていない場合には（ステップＳ１０５：ＮＯ）、第１の入力部３１２から出力された入力情報を制御部５００に出力せず、第２の入力部３１３から出力された入力情報を制御部５００に出力する（ステップＳ１０６）。
【００５６】
出力部３５０は、第１のセンサ３２２および第２のセンサ３２３のいずれからも信号が出力されている場合には（ステップＳ１０５：ＹＥＳ）、第１の入力部３１２および第２の入力部３１３から出力されたいずれの入力情報についても制御部５００に出力しない（ステップＳ１０７）。
【００５７】
上記の出力部３５０の処理により、入力機構部３００は、入力本体部３１０において上側となる入力部から出力された入力情報のみを制御部５００に出力するため、制御部５００は、取得した入力情報が入力本体部３１０において上側となる入力部から出力された情報であることを識別することができる。すなわち、本実施例では、制御部５００に対して出力される入力情報は、入力本体部３１０において上側となる入力部を識別するための識別情報としても機能している。よって、制御部５００は、入力機構部３００から取得した入力情報が入力本体部３１０の上側の入力部により出力された入力情報か否かを判断する構成を備えていなくても、入力本体部３１０において上側となる入力部から入力された入力情報のみに基づいて処理部に特定の処理を実行させることができる。
【００５８】
なお、本実施例における第１のセンサ３２２および第２のセンサ３２３は、特許請求の範囲における「検出部」に該当する。本実施例における出力部３５０は、特許請求の範囲における「出力部」に該当する。本実施例において第１の入力部３１２および第２の入力部３１３から出力される入力情報は、特許請求の範囲における「識別情報」に該当する。
【００５９】
以上説明した、第２の実施例に係るコンピュータ端末装置１０によれば、入力機構部３００は、第１のセンサ３２２や第２のセンサ３２３から出力された信号を制御部５００に出力しない構成であっても、上側の入力部から入力された入力情報のみを制御部５００に対して出力するため、利用者により意図して入力された入力情報のみに基づいて特定の処理をおこなうことができる。よって、上記構成によれば、両面に入力部を有する入力装置を備えるコンピュータ端末装置において、誤入力による不具合の発生の抑制を図ることができる。
【００６０】
第２の実施例に係る入力機構部３００によれば、第１のセンサ３２２や第２のセンサ３２３から出力された信号を制御部５００に出力しない構成であっても、上側の入力部から入力された入力情報のみを入力機構部３００の外部に出力するため、利用者により意図して入力された入力情報のみを外部に出力することができる。これにより、入力機構部３００と接続された外部装置は、利用者により意図して入力された入力情報のみに基づいて特定の処理をおこなうことができる。よって、上記構成によれば、両面に入力部を有する入力装置において、誤入力による不具合の発生の抑制を図ることができる。
【００６１】
Ｃ．第３実施例
第１実施例および第２実施例では、本発明の一実施例としてのコンピュータ端末装置について説明したが、本発明はコンピュータ端末装置以外にも適用可能である。そのため、第３実施例では、本発明の他の実施例としての入力装置について説明する。コンピュータ端末装置は、入力情報に基づいて特定の処理をおこなう処理部を備えているのに対し、入力装置は、入力情報に基づいて特定の処理をおこなう処理部を備えず、入力情報や識別情報を外部装置に出力する構成を備える。
【００６２】
図１４は、第３実施例に係る入力装置の外観構成を示す説明図である。入力装置６００は、第１実施例における入力機構部３００と対応した構成を備えている。すなわち、入力装置６００は、第１実施例の入力機構部３００と同様に、入力本体部６１０と、枠部６２０と、被係止機構部６３０とを備えている。入力本体部６１０と、枠部６２０と、被係止機構部６３０は、第１実施例おける入力本体部３１０と、枠部３２０と、被係止機構部３３０とそれぞれ同様の構成・機能を備えている。以下では、第１実施例の入力本体部３１０と、枠部３２０と、被係止機構部３３０と異なる点について説明する。
【００６３】
第１実施例の枠部３２０は、コンピュータ端末装置１０の本体部１１の一部に形成されているのに対して、第２実施例の枠部６２０は、入力情報に基づいて特定の処理をおこなう処理部と物理的に切り離された構成を備えている。入力装置６００は、図示しないケーブルや、無線などにより、処理部を備える外部装置に対して入力情報や識別情報を出力する。図１４に示すように、入力装置６００は、枠部６２０に、脚部６４１と、支持部６４２とが取り付けられている。脚部６４１は、長板状の外形を備え、一方の端部が枠部６２０に回動可能に固定されている。支持部６４２は、蝶番６４３により枠部６２０に回動可能に固定されている。支持部６４２は、入力装置６００を支持する支持面ＳＦと接する面に滑り防止部材６４４を備えている。滑り防止部材６４４は、支持面ＳＦとの摩擦抵抗が大きくなる部材であれば特に限定はなく、例えば、ゴムやウレタンの他、マグネットなどを用いることができる。
【００６４】
図１５は、第３実施例に係る入力装置の脚部を立てた状態を例示した説明図である。図１５に示すように、脚部６４１および支持部６４２を枠部６２０に対して回動させることにより、枠部６２０を支持面ＳＦに対して起こした体勢とすることができる。これにより、枠部６２０に回動可能に固定されている入力本体部６１０を容易に回動させることができる。
【００６５】
以上説明した、第３の実施例に係る入力装置によれば、本発明は、入力装置においても適用することができ、入力装置においても、誤入力による不具合の発生の抑制を図ることができる。具体的には、入力装置においても第１実施例と同様に図示しない第１のセンサおよび第２のセンサを枠部６２０に備え、第１のセンサおよび第２のセンサから出力される信号、および、図示しない第１の入力部および第２の入力部から出力される入力情報を外部装置に出力することにより、誤入力による不具合の発生を抑制することができる。また、入力装置６００は、第２実施例と同様に、入力本体部６１０において上側となる入力部から出力された入力情報のみを出力する構成であっても誤入力による不具合の発生を抑制することができる。
【００６６】
Ｄ．第４実施例
第１実施例から第３実施例では、入力本体部の向きを検出するためのセンサが、枠部に配置されている入力機構部３００および入力装置６００について説明したが、センサは必ずしも枠部に配置されている必要はない。そのため、第４実施例では、入力本体部の向きを検出するためのセンサが入力本体部に配置された入力装置について説明する。
【００６７】
図１６は、第４実施例に係る入力装置の外観構成を示す説明図である。入力装置７００は、第３実施例における入力装置６００と同様に、入力本体部７１０と、枠部７２０とを備えている。入力装置７００は、被係止機構部を備えていてもよいし、備えていなくてもよい。入力本体部７１０は、第１実施例おける入力本体部３１０と対応し、枠部７２０は枠部３２０と対応している。以下では、入力装置７００において、第１実施例の入力機構部３００および第３実施例の入力装置６００と異なる点について説明する。
【００６８】
図１６に示すように、入力装置７００は、入力本体部７１０の第１の入力部７１２に第２のセンサ７２３が配置され、第２の入力部７１３に第１のセンサ７２２が配置されている。また、入力装置７００の枠部７２０には、本体支持部７４０が取り付けられている。本体支持部７４０は、長板状の外形を備え、一方の端部が入力本体部７１０に回動可能に固定され、他方の端部が枠部７２０に回動可能に固定されている。
【００６９】
入力装置７００において、本体支持部７４０を枠部７２０に対して回動させることにより、本体支持部７４０を枠部７２０が設置されている支持面ＳＦに対して起こすことができる。本体支持部７４０を支持面ＳＦに対して起こすことにより、本体支持部７４０の端部に回動可能に固定されている入力本体部７１０を容易に回動させることができる。
【００７０】
本体支持部７４０を倒して入力本体部７１０を支持面ＳＦ上に配置すると、下側となる入力部に配置されたセンサが支持面ＳＦと接触し、接触したセンサから信号が出力される。具体的には、第１の入力部７１２が上側の時に第１のセンサ７２２から信号が出力され、第２の入力部７１３が上側の時に第２のセンサ７２３から信号が出力される。第１の入力部７１２および第２の入力部７１３により入力された入力情報や、第１のセンサ７２２および第２のセンサ７２３から出力された信号は、図示しないケーブルもしくは無線を介して外部装置に出力される。
【００７１】
以上説明した、第４の実施例に係る入力装置によれば、入力本体部の向きを検出するためのセンサが枠部に配置されていなくても、誤入力による不具合の発生を抑制することができる。具体的には、入力装置７００において、第１の入力部７１２が上側の時に第１のセンサ７２２から信号が出力され、第２の入力部７１３が上側の時に第２のセンサ７２３から信号が出力される。よって、第１の入力部７１２および第２の入力部７１３は、第１実施例の第１の入力部３１２および第２の入力部３１３とそれぞれ対応し、第１のセンサ７２２および第２のセンサ７２３は、第１実施例の第１のセンサ３２２および第２のセンサ７２３にそれぞれ対応している。そのため、入力装置７００と接続されている外部装置において、第１実施例の入力情報判別処理を実行する構成を備えれば、誤入力による不具合の発生を抑制することができる。また、外部装置が入力情報判別処理を実行可能な構成を備えていなくても、第２実施例と同様に、入力装置７００が入力本体部７１０において上側となる入力部から出力された入力情報のみを出力する構成であれば、誤入力による不具合の発生を抑制することができる。
【００７２】
Ｅ．第５実施例
第３実施例および第４実施例では、枠部を備えた入力装置について説明したが、入力装置は必ずしも枠部を備えている必要はない。そのため、第５実施例では、枠部を備えていない入力装置について説明する。
【００７３】
図１７は、第５実施例に係る入力装置の外観構成を示す説明図である。図１８は、第５実施例に係る入力装置を側面側から見た状態を例示した説明図である。入力装置８００は、第４実施例における入力装置７００の入力本体部７１０と対応している。すなわち、入力装置８００は、第４実施例の入力装置７００において枠部７２０を備えていない構成と同様の構成を備えている。
【００７４】
図１７および図１８に示すように、入力装置８００は、矩形の平板状の外形を備え、両面に入力部が形成されるとともに、両面の四隅に支持面との接触を検出するセンサがそれぞれ配置されている。具体的には、入力装置８００は、一方の面に第１の入力部８１２および第２のセンサ８２３が配置され、他方の面に第２の入力部８１３および第１のセンサ８２２が配置されている。これにより、第４実施例で示した入力装置７００と同様に、下側となる入力部に配置されたセンサが支持面ＳＦと接触し、接触したセンサから信号が出力される。
【００７５】
すなわち、入力装置８００は、第１の入力部８１２が上側の時に第１のセンサ８２２から信号が出力され、第２の入力部８１３が上側の時に第２のセンサ８２３から信号が出力される。入力装置８００は、第１の入力部８１２および第２の入力部８１３により入力された入力情報や、第１のセンサ８２２および第２のセンサ８２３から出力された信号を、図示しないケーブルもしくは無線を介して外部装置に出力する。
【００７６】
以上説明した、第５の実施例に係る入力装置によれば、入力装置は、枠部を備えていなくても、誤入力による不具合の発生を抑制することができる。具体的には、入力装置８００は、一方の面に第１の入力部８１２および第２のセンサ８２３が配置され、他方の面に第２の入力部８１３および第１のセンサ８２２が配置されているため、第１の入力部８１２が上側の時に第１のセンサ８２２から信号が出力され、第２の入力部８１３が上側の時に第２のセンサ８２３から信号が出力される。すなわち、２つの入力部および２つのセンサは、それぞれ第１実施例の入力部およびセンサと対応している。そのため、入力装置８００と接続されている外部装置において、第１実施例の入力情報判別処理を実行する構成を備えれば、誤入力による不具合の発生を抑制することができる。また、外部装置が入力情報判別処理を実行可能な構成を備えていなくても、第２実施例と同様に、入力装置８００において上側となる入力部から出力された入力情報のみを出力する構成であれば、誤入力による不具合の発生を抑制することができる。
【００７７】
Ｆ．変形例：
なお、この発明は上記の実施例や実施形態に限られるものではなく、その要旨を逸脱しない範囲において種々の態様において実施することが可能であり、例えば次のような変形も可能である。
【００７８】
Ｆ１．変形例１：
第１実施例では、コンピュータ端末装置１０は、表示部１００と、印字部２００と、入力機構部３００と、カードユニット４００と、を備えているが、入力機構部３００以外の構成の少なくとも一部を備えていなくてもよく、また、スピーカや、入出力インターフェイス等、他の構成を備えていてもよい。また、入力機構部３００においても、被係止機構部３３０は必ずしも備える必要はなく、入力機構部３００を備えない構成であっても本発明を実現することができ、誤入力による不具合の発生を抑制することができる。
【００７９】
Ｆ２．変形例２：
本実施例では、入力機構部もしくは入力装置は、２つのセンサにより入力本体部の向きを検出しているが、２以上のセンサにより検出する構成であってもよい。また、センサの配置されている位置については、入力本体部の向きを検出することができれば、上記実施例で示された位置に配置されていてもよい。
【００８０】
Ｆ３．変形例３：
本実施例では、入力機構部および入力装置は、対象物との接触を検出するセンサを備え、センサにより入力本体部の向きを検出する構成としているが、入力機構部および入力装置は、必ずしもセンサを備える必要はなく、入力情報を出力するための端子によっても入力本体部の向きを検出することができる。具体的には、図３に示す第１のセンサ３２２や第２のセンサ３２３の代わりに入力情報を取得するための端子を被係止部３２１の上面３２１ａと底面３２１ｂにそれぞれ構成する。また、図２に示す第１の入力部３１２の第１の係止部３１２ａや第２の係止部３１２ｂに、入力情報を出力するための端子を構成する。これにより、図２では、被係止部３２１側の一方の端子と、第１の入力部３１２側の一方の端子が接続するため、第１の入力部３１２からの入力情報が制御部５００に出力される。また、図５では、被係止部３２１側の他方の端子と、第１の入力部３１２側の他方の端子が接続するため、第２の入力部３１３からの入力情報が制御部５００に出力される。これによっても、第１の入力部３１２もしくは第２の入力部３１３の一方の入力情報のみが制御部５００に出力される構成とすることができる。すなわち、この変形例では、入力情報を出力する端子が、特許請求の範囲における「検出部」に該当する。
【００８１】
Ｆ４．変形例４：
本実施例では、入力本体部は、物理的に分離した２つの入力部と、１つの回転台部により構成されているが、両面に入力部を備える構成であれば、これ以外の構成であってもよい。例えば、射出成形などにより一体成形された平板状筺体の両面にキーボードが配置された構成であってもよい。また、入力部は、キーボードに限定されず、タッチパネルなどであってもよい。
【００８２】
Ｆ５．変形例５：
なお、本発明は、本発明は、上記以外の種々の形態で実現することが可能であり、例えば、入力装置を備える現金自動取扱装置およびコンピュータ、入力装置を備えるコンピュータ端末装置および入力装置の制御方法、その制御方法を実現するためのコンピュータープログラム、および、そのコンピュータープログラムを記録した記憶媒体等の形態で実現することができる。また、本発明に係る入力装置およびコンピュータ端末装置は、適宜、他の部材と組み合わせて適用することができる。
【符号の説明】
【００８３】
１０…コンピュータ端末装置
１１…本体部
１００…表示部
１０１…表示部支持アーム
２００…印字部
２０１…挿入部
３００…入力機構部
３１０…入力本体部
３１１…回転台部
３１２…第１の入力部
３１２ａ…第１の係止部
３１２ｂ…第２の係止部
３１３…第２の入力部
３１６…接触面
３１８ｃ…コネクタ
３１８ｗ…ケーブル
３１９…固定金具
３２０…枠部
３２１…被係止部
３２１ａ…上面
３２１ｂ…底面
３２２…第１のセンサ
３２３…第２のセンサ
３３０…被係止機構部
３３１…ラッチ
３３２…解除ボタン
３３３…可動軸
３３４…バネ
３３５…プレート
３４０…回転ヒンジ
３５０…出力部
４００…カードユニット
４０１…カードスロット
５００…制御部
６００…入力装置
６１０…入力本体部
６２０…枠部
６３０…被係止機構部
６４１…脚部
６４２…支持部
６４３…蝶番
６４４…防止部材
７００…入力装置
７１０…入力本体部
７１２…第１の入力部
７１３…第２の入力部
７２０…枠部
７２２…第１のセンサ
７２３…第２のセンサ
７４０…本体支持部
８００…入力装置
８１２…第１の入力部
８１３…第２の入力部
８２２…第１のセンサ
８２３…第２のセンサ 
【図１】
2011242907.tif 000003
【図２】
2011242907.tif 000004
【図３】
2011242907.tif 000005
【図４】
2011242907.tif 000006
【図５】
2011242907.tif 000007
【図６】
2011242907.tif 000008
【図７】
2011242907.tif 000009
【図８】
2011242907.tif 000010
【図９】
2011242907.tif 000011
【図１０】
2011242907.tif 000012
【図１１】
2011242907.tif 000013
【図１２】
2011242907.tif 000014
【図１３】
2011242907.tif 000015
【図１４】
2011242907.tif 000016
【図１５】
2011242907.tif 000017
【図１６】
2011242907.tif 000018
【図１７】
2011242907.tif 000019
【図１８】
2011242907.tif 000020